(57)【要約】【課題】  既成の電柱の足場用ねじ穴の位置を変更したり新たにねじ穴を設けたりすることなく、既存の電柱の製作時に設けられた第１足場用ねじ穴より高い位置に第１足場を形成可能とすることで、通行者や通行車両等の通行を妨げることがなく、且つ安全を確保できる電柱足場用具を提供する。【解決手段】  足場用具（１）は、既存の電柱に沿ってその第１足場の位置から上方に着脱可能に取付けられる板状の金具（２）から成り、その長さ方向の所定位置に足場部材を固定するための取付手段として、足場用ボルト（３）をねじ込むナットを備える。使用時には、金具（２）の長さ方向両端部に設けた孔（６）に、電柱に設けられた第１及び第３の足場ボルト用ねじ穴に螺合するボルトを通してねじ込むことで、足場用具（１）が電柱に固定される。【選択図】  図１
2007006661.tif 000002
【特許請求の範囲】
【請求項１】
既存の電柱に沿ってその第１足場の位置から上方に着脱可能に取付けられる板状の金具から成り、その長さ方向の所定位置に足場部材を固定する取付手段を備えたことを特徴とする電柱足場用具。
【請求項２】
前記取付手段は、前記足場部材としてのボルトをねじ込むナットであることを特徴とする請求項１記載の電柱足場用具。
【請求項３】
前記金具は、電柱に設けられた第１及び第３の足場ボルト用ねじ穴に螺合するボルトを通す孔を有することを特徴とする請求項１又は２記載の電柱足場用具。
【請求項４】
前記足場部材として、前記金具の表面に略直角に固定した棒状部材を備えたことを特徴とする請求項１記載の電柱足場用具。
【請求項５】
前記棒状部材は、溝形鋼又は山形鋼あるいは角パイプ材から成ることを特徴とする請求項４記載の電柱足場用具。
【請求項６】
前記第３の足場ボルト用ねじ穴に螺合した足場ボルトと、前記金具から突出するように固定した足場部材としてのボルトとの間に張設される補強ストラップを備えたことを特徴とする請求項３記載の電柱足場用具。
【請求項７】
前記足場部材としてのボルトの根元付近に取付け可能で、前記金具に設けた一対の孔に係止される一対の脚部を有するリング部材を備えたことを特徴とする請求項２記載の電柱の足場用具。
【請求項８】
前記脚部は、作業者が着用する柱上安全帯の補助ロープの一端を係止できるようになっていることを特徴とする請求項７記載の電柱足場用具。
【発明の詳細な説明】
【技術分野】
【０００１】
本発明は、電柱上で作業者が作業をするために電柱を昇降する際に使用する電柱足場用具に関する。
【背景技術】
【０００２】
電柱上で作業する際には、電柱の両側で直径方向の対向位置に交互に取付けられた足場ボルトが使用されるが、最も下位の位置に取付けられる第１足場ボルトは、通行者や通行車両等の妨げとならないように施設される必要があり、従前からの基準によって，このような電柱における第１足場ボルトの取付位置は、地上からの高さが約１.８メートル以上と決められている。
ところが、近年は人々の身長が高くなる傾向にあり、かつ大型車両の増加といった交通事情を考えると、現在では、このような取付け位置は一般の通行者や通行車両等の安全確保の観点から充分とは言えなくなりつつある。そこで、電柱における第１足場ボルトの位置を上方へずらすことが考えられるが、電柱の足場ボルトの位置は製作時に設けられたねじ穴の位置によって決められているため、工場の生産ラインから変更する必要がある。加えて、そのように電柱の仕様を変更したとしても、既存の電柱をすべて新しい仕様の電柱へ立て替えることは、必要な電柱の数からして膨大な費用がかかってしまい、現実的ではない。
【０００３】
一方、第１足場ボルトを撤去して，第２足場ボルトを第１足場ボルトとして活用することが考えられるが、これには、第２足場ボルトは第１足場ボルトの約０．５ｍ上方に位置するため、作業員が昇柱用はしごから乗り移るには位置が上方すぎる、すなわち高すぎるという問題がある。
【０００４】
従って、最も適当な方法と考えられるのは、第１足場ボルトを撤去して適切な位置に新たな足場用具を設けることである。このような電柱の足場用具の一例が、下記特許文献１に示されている。
【０００５】
【特許文献１】実開平６−７７４１３号公報
【発明の開示】
【発明が解決しようとする課題】
【０００６】
しかしながら、従来の足場用具は全て、電柱へバンドを巻き付けて固定させる方式であるため、電柱へ張り紙防止用の巻物が取り付けられ或いは地中線用の鋼管が取り付けられている場合は、取付不可能となって、足場用具を堅固に固定することができない場合がある。
【０００７】
本発明は上記課題を鑑みてなされたものであり、その目的は，電柱へバンドを巻きつけることを必要とせず，様々な状態の電柱に取付け可能で、既成の電柱の足場用ねじ穴の位置を変更したり新たにねじ穴を設けたりすることなく、既存の電柱の第１足場より高い位置に第１足場を形成可能とすることで、通行者や通行車両等の通行を妨げることがなく、且つ安全を確保できる電柱の足場用具を提供することにある。
【課題を解決するための手段】
【０００８】
本発明の電柱足場用具は、既存の電柱に沿ってその第１足場の位置から上方に着脱可能に取付けられる板状の金具から成り、その長さ方向の所定位置に足場部材を固定する取付手段を備えたことを特徴とする。取付手段は、例えば、足場部材としてのボルトをねじ込むナットである。電柱への取り付けのため、金具には、電柱に設けられた第１及び第３の足場ボルト用ねじ穴に螺合するボルトを通す穴を設けることが好ましい。
【０００９】
別の形態においては、足場部材としての溝形鋼又は山形鋼あるいは角パイプのような棒状部材が、金具の表面に略直角に固着される。また、前記第３の足場ボルト用ねじ穴に螺合した足場ボルトと、金具から突出するように固定した足場部材としてのボルトとの間に張設される補強ストラップを備えることが好ましい。
【００１０】
更に、足場部材としてのボルトの根元付近に一対の脚部を有するリング部材が取付けられ、リング部材の脚部が側部から延出して端部が金具の側辺に設けられた対応する孔に係止される。更に、このようなリング部材の脚部は、作業者が着用する柱上安全帯の補助ロープの一端が係止されるように形成されることが好ましい。
【発明の効果】
【００１１】
本発明によれば、既存の電柱の第１足場から上方に取付けられる金具に足場部材を固定するようにしたので、その足場部材が第１足場となる。すなわち、既存の電柱の第１足場より高い位置に第１足場が形成されるので、電柱での作業に際して、足場部材により通行者や通行車両等の通行を妨げるおそれをなくし、現状に合致した公衆安全を確保することができる。
【発明を実施するための最良の形態】
【００１２】
以下、本発明の実施形態について説明する。図１は、第１の実施形態に係る足場用具の正面図、図２は、図１のII-II線に沿った断面図である。
【００１３】
この足場用具１は、細長い形状の金属板から作られた金具２から成り、その両側の側辺部分に沿って、例えばプレス加工によって断面略半円形状のリブ４が形成されている。これによって、金具２自体の強度が高められている。
【００１４】
更に、足場用具１は、金具２の縦中心線に沿って中程から幾分下方の位置に、足場部材としての足場ボルト３を取付けるための取付手段としてナット５が、溶接によって固定されており、このナット５に足場ボルト３が取付けられて足場が形成される。なお、この足場ボルト３の先端部が一層強固にねじ止めされるように、金具２のナット５に対応する部分にねじ穴を設けることが好ましい。
【００１５】
金具２の下部及び上部には、この金具２を電柱に取り付けるための取付ボルト１１及び１３（図３）のための孔６が設けられているが、電柱への取付時に金具２の位置を調整可能とするため、これらの孔６は、取付ボルト１１、１３の軸径より長い長孔とするのが好ましい。
【００１６】
図示の足場用具１においては、金具２の両側の長手方向の側辺に沿ってリブ４が設けられているが、その位置は側辺に限らず、側辺と略平行に側辺の縁部から少し間隔を置いて離れた位置にリブを形成してもよい。また、金具２自体の強度が十分であれば、強化用のリブ４を省略してもよい。
【００１７】
図３は、このような足場用具１を既存の電柱１００に取付けて使用する例を示す。同図では、縦断面で示す足場用具１が取付けられた電柱の下方部分Aを拡大して示す。
【００１８】
図において、足場用具１の金具２は、電柱１００の第１足場ボルト用ねじ穴１０１ａ及び第３足場ボルト用ねじ穴１０３ａにねじ込まれる取付ボルト１１及び１３を用いて電柱１００に取付けられている。
【００１９】
金具２を電柱１００に取付ける下方の取付ボルト１１は、第１足場ボルト１０１のねじ穴１０１ａを用いて取付けられる。この場合、電柱１００のねじ穴１０１ａは、地上約１.８メートル程の位置に設けられているが、取付ボルト１１の頭部が突出せず、また、金具２の両側のリブ４も大きく突出していないので、取付ボルト１１の頭部や金具２のリブ４が通行者や通行車両等の邪魔になるものではない。また、足場ボルト３は、金具２上のナット５にねじ込まれて取付けられる。この足場ボルト３は、第１足場ボルト１０１のねじ穴１０１ａの高さ位置よりも上方に所定長さｈ（例えば、約２０センチメートル）だけ高い位置に繰上げ取付けられる。従って、地上約２メートル程の高さに設置されるので、足場ボルト３が足場部材として通行者や通行車両等の邪魔になることは無い。なお、この繰上げ高さｈは、図示の例では約２０センチメートルとしているが、これに限られるものではなく、任意の高さに決めることができる。
【００２０】
また、取付ボルト１３としては通常の第３足場ボルトが使用され、ナットを介して電柱１００に取り付けられる。
【００２１】
このように、足場用具１は、既存の電柱１００の第１及び第３足場用ねじ穴１０１ａ、１０３ａの位置を変更したり新たにねじ穴を設けることなく、電柱１００の製作時に設けられた第１足場用ねじ穴１０１ａより高い位置に、足場ボルト３により第１足場を形成することができるので、通行者や通行車両等の通行を妨げず、作業者の昇降使用時の安全を確保することができる。
【００２２】
図４は、上記実施形態の改変例を示す。（Ａ）は斜視図、（Ｂ）は縦断面図である。図示の改変例においては、足場用具１’は、図１及び図２において説明された第１の実施形態の例の足場用具１とは、上部の取付ボルト１３の代わりに、長いボルト１３’が用いられてナット１３ａとワッシャ１３ｂを介して取付けられ、補強ストラップ１４がボルト３、１３’の間に張設されてボルト３が補強されるように形成されていることが異なっている。
【００２３】
従って、改変例では、足場用具１’は、金具２の左右両側の側辺が断面略半円形状に形成されたリブ４が設けられており、中央より幾分下方の中程の位置にナット５が溶接して取付けられていて足場部材としての足場ボルト３が取付けられるように形成されている。更に、下部及び上部には取付ボルト１１、１３のための孔６が設けられており、これら取付ボルト１１、１３のための孔６は、取付ボルト１１の軸径の約２倍の大きさの長孔とするのが同様に好適である。
【００２４】
この改変例においては、上部の取付ボルトの代わりに、長いボルト１３’が取付けられてナット１３ａによってしっかりと固着され、長いボルト１３’の端部に補強ストラップ１４の一端が取付けられ、他端が足場部材としての足場ボルト３の先端部分に取付けられて、補強ストラップ１４がボルト３、１３’間にしっかりと張設されるように取付けられる。
【００２５】
すなわち、補強ストラップ１４は、ループ状に形成されており、例えば一本のストラップの両端部を結合することによってループ状に形成される。このようにループ状に作られた補強ストラップ１４の一方の端（上端）が、上方の長いボルト１３の先端部付近に掛けられ、続いて、ループ状の補強ストラップ１４の他方の端（下端）が、下方の足場部材３の先端部付近に掛けられて補強ストラップ１４が上のボルト１３’と下のボルトの足場部材３との先端部の頭部部分の間に張設される。
【００２６】
従って、この改変例においては、作業者の足が足場ボルト３にかけられて足場ボルト３に大きな荷重がかけられても、足場ボルト３と長いボルト１３’との間に張設された補強ストラップ１４によって足場ボルト３が補強されることで、十分に荷重を支持することができる。
【００２７】
また、このようなループ状の補強ストラップ１４は、上方の長いボルト１３’に最初に掛けて、続いて、下方の足場ボルト３に掛けるようにしても良いし、あるいは逆に、下方の足場ボルト３に最初にループ状の補強ストラップ１４を掛けた後に、上方の長いボルト１３’に掛けるようにしても勿論良く、いずれを先にするか後にするかは、作業者の都合によって適宜に決めることができる。
【００２８】
更に、ループ状の補強ストラップ１４を使用する代わりに、一本の補強ストラップ１４の両端にそれぞれフック部材を取付けて、各フック部材を上の長いボルト１３’と、下のボルトの足場ボルト３とに掛けて張設するようにすることもできる。また、補強ストラップ１４の代わりに、ワイヤーを用いることも可能であり、ループ状にするか、或いはフック部材を用いて係止することもできる。
【００２９】
図５は、第２の実施形態の足場用具を示す。（Ａ）は縦断面図、（Ｂ）は斜視図である。この足場用具２０においては、足場部材２３が、棒状部材としての溝形鋼や山形鋼から成る形鋼、又は角パイプのような中空部材等で形成されていて、この足場部材２３が板状の金具２２に固着されていることが、上記第１の実施形態と異なっている。
【００３０】
すなわち、図５（Ａ）（Ｂ）に示される足場用具２０においては、足場部材２３は、金属板から作られた金具２２の表面に対して略直角に、縦中心線位置に例えば溶接のような固着手段によって固着された水平方向に延びる足場部材２３ａと、この足場部材２３ａを補強するように下方から支持する足場部材２３ａに溶接されたステーのような控え部材２３ｂとから形成されている。
【００３１】
更に、第２の実施形態の足場用具２０は、第１の実施形態と同様に金属板から成る金具２２の左右両側の側辺が断面略半円形状に形成されてリブ２４が設けられ、縦中心線方向の下部及び上部に取付ボルト２７、２９のための孔２６が設けられている。この孔２６は、縦中心線方向の孔径が取付ボルト２７、２９の直径の約２倍の大きさの長孔が同様に好適である。
【００３２】
なお、取付ボルト２９としては通常の第３足場ボルトが使用され、ナットを介して電柱１００に取付けられる。
【００３３】
このような足場用具２０は、金具２２が電柱に取付けられて、足場ボルトの代わりに、形鋼又は角パイプ等の棒状部材で作られた足場部材２３ａと控え部材２３ｂとで形成された足場部材２３が金具２２に設けられて強固な足場を形成するので、この足場部材２３によって十分に強固で、安全な足場が確保でき、柱上における作業を作業者が安全に行うことができる。勿論、この第２の実施形態においても、板状部材で作られる金具２２の左右両側に形成されたリブ２４を省略して、リブの無い平板状の金属板の金具とすることができる。
【００３４】
図６乃至図８は、足場用具にリング部材を用いた第３の実施形態を示す縦断面図、正面図及び分解斜視図である。また、図９はリング部材の一部断面した側面図、図１０はリング部材の正面図である。
【００３５】
図示のように、第３の実施形態の足場用具３０は、細長い形状の金属板から作られた金具３２から成り、金具３２の両側の側辺部分に沿って断面略半円形状のリブ３４が形成されていて、これによって金具３２自体の強度が高められて強化されるように形成されている。更に、金具３２の縦中心線に沿って中程から幾分下方の位置に、足場部材としての足場ボルト３３を取付ける取付手段としてのナット３５が、溶接によって固着されており、このナット３５に足場ボルト３３がリング部材４０を介してナット３８が取付けられて、足場が設けられるようになっている。更に、金具３２のリブ３４には、リング部材４０の脚部４２の端部４２ａが差し込まれる孔３７が設けられている。
【００３６】
この足場用具３０は、足場ボルト３３がリング部材４０とナット３８とを追加して取付けられることが、第１の実施形態の場合と異なっている。
【００３７】
図示のように、リング部材４０は、リング４１と、このリング部４１の側面から略V字形に延出する一対の脚部４２とを有しており、脚部４２の先端部分が略直角に折り曲げられて端部４２ａが形成されている。
【００３８】
この足場用具３０においては、金具３２が取付ボルト３９、３９’によって電柱１００に取付けられる。そして、電柱１００に取付けられた金具３２に対して、先ず、リング部材４０の脚部４２の端部４２ａが金具３２のリブ３４に設けられた孔３７に差し込まれると同時に、ナット３５の上面にリング部材４０の環状のリング部４１の下面が当接するようにリング部材４０が置かれる。そして、ナット３８が予めねじ着された足場部材としての足場ボルト３３の先端部が、リング部材４０の孔４３にしっかりと差し込まれ、続いて、金具３２に取付けられたナット３５のねじ穴に足場ボルト３３の先端部がねじ着されて取付けられる。
【００３９】
こうして、足場ボルト３３の先端部が、リング部材４０の孔４３を通ってナット３５にしっかりと十分にねじ着されるように足場ボルト３３を取付ける。足場ボルト３３がリング部材４０を介して金具３２のナット３５にしっかりと取付けられたならば、続いて、足場ボルト３３に予めねじ着されていたナット３８を、リング部材４０に対してしっかりとねじ着することによって、リング部材４０の環状リング部４１がナット３５の上にしっかりと当接されて押圧されるようになる。この場合に、リング部材４０の一対の脚部４２の先端の折曲された端部４２ａが、金具３２の左右のリブ３４に設けられた孔３７に同時に嵌入されて取付けられる。
【００４０】
このように、足場ボルト３３にリング部材４０が追加して取付けられた構成においては、リング部材４０のリング部４１の側面から略V字形に突出するように延びて先端部分が略直角に折り曲げられた端部４２ａによって、長方形状の空間部分が金具３２とナット３５との間に形成されるので、これら空間部分に、作業者が柱上での作業の安全を確保するために着用する安全帯の補助ロープの端部に設けられたフックのような係合部材を係止することができ、これによって安全帯の補助ロープによる作業者の安全の確保が得られ、作業者が柱上において安全に作業することができる。しかも、補助ロープの係止は、作業時の作業者の位置に応じていずれかの位置のリング部材４０の脚部４２を選択することができ、係止し易い側の脚部４２を選ぶことができて、作業をし易くし能率を向上することができる。
【００４１】
また、金具３２の上部及び下部には、取付ボルトの取付用の孔３６が設けられており、これら孔３６は、上記した例と同様に長孔が好適である。
【００４２】
なお、取付ボルト３９’としては通常の第３足場ボルトが使用され、ナットを介して電柱１００に取付けられる。
【００４３】
このように、リング部材４０の足場用具３０の金具３２への取付けに際しては、先ず、足場ボルト３３にナット３８が予めねじ着されて適宜な位置に取付けられる。次いで、リング部材４０の環状のリング部４１の孔４３に、足場ボルト３３の先端部が通されると同時に、リング部材４０の脚部４２の折り曲げられた端部４２ａが、金具３２の左右両側のリブ３４に設けられた孔３７に差し込まれる。
【００４４】
こうして、足場ボルト３３がリング部材４０を介してナット３５に取付けられたならば、足場ボルト３３に予め取付けられたナット３８を調整して締付けることによって、リング部材４０の環状のリング部４１の孔４３に足場ボルト３３の先端部分が差し込まれて、金具３２に固着されたナット３５に対してしっかりと締付けられて固着される。
【００４５】
このようにして、図６及び図７に示されるように、足場用具３０の金具３２のナット３５に対し、リング部材４０が足場ボルト３３と、ナット３５、３８とによってしっかりと取付けられて固着される。
【００４６】
このようなリング部材４０が取付けられた足場ボルト３３が設けられた足場用具３０においては、図示のように、リング部材４０の脚部４２によって形成された折曲した形状の脚部４２のいずれか一方に、柱上安全帯の補助ロープの一端のフックのような係合部材が係止され、これによって作業者の柱上での作業の安全を確実に確保することができる。
【００４７】
また、足場用具３０は、金属板から作られて両側にリブ３４が形成されているので、十分な強度を有するように強化された構造に、容易且つ簡単に製作することができ、製造コストを低減できると共に、大量生産が可能である。
【００４８】
しかも、この足場用具３０は、取付けを行う時における取付け作業の手間も簡単であり、施工性を向上することができるし、足場ボルト３３が十分な強度を有しており、作業者の十分な安全を確保して安全に作業をすることができる。更に、足場用具３０は、安全帯の補助ロープを容易に取付け、取外しできる脚部４２を有するリング部材４０を取付けることにより、作業者の一層の安全を容易、且つ確実に確保できる等の効果を奏することができる。
【００４９】
図１１は、第３の実施形態においてリング部材４０に対する足場ボルトの改変例を示す。図示の足場ボルト３３’は、リング部材４０が取付けられる部分の上方の部分が太くなっており、段部３３ａが形成された段付ボルトの形状に構成されている。これによって、ボルトの頭部側のナット（図６のナット３８）を省略することができる。
【００５０】
図１２及び図１３は、足場部材としてのボルトを改変した例を示す。足場ボルト５３、５３’は、例えば合成樹脂の絶縁材料のカバー５５、５５’で全体的に、或いは一部を残して覆われており、足場ボルト５３、５３’の頭部５４、５４’に内方に向かってカバー５５、５５’の周辺部分を延ばすことで、カバー５５、５５’が足場ボルト５３、５３’に対して固定されるように形成されている。
【００５１】
すなわち、図１２においては、足場ボルト５３は、カバー５５で全体的に覆われており、頭部５４の頂面よりも上方に延び出るように、頭部５４の側面に沿って六角形状に上方に延びていて、頂面が露呈され見えている。
【００５２】
従って、安全帯の補助ロープは、足場ボルト５３を覆うカバー５４の上から取付けられる。
【００５３】
更に、図１３においては、足場ボルト５３’の根元部分が一部露出するようにカバー５５’で覆われており、更に、頭部５４’の頂面の一部が露出するようにカバー５５’の周辺部分が内方に向かって延びていて、カバー５５’が足場ボルト５３’の頭部５４’に対して固定されている。
【００５４】
従って、安全帯の補助ロープ５７は、図１３に示すように、カバー５５’の上から取付けられるが、直接に足場部材５３’のボルトのカバー５５’の無い露出した部分に、補強ロープ５７のフックのような係合部材５８を係止して取付けることもできる。
【００５５】
また、上記足場用具では、金具が金属板から作られて両側にリブが形成されているので、十分な強度を有するように強化された構造に、金属板から容易且つ簡単に製作することができ、製造コストを低減できると共に、大量生産が可能である。しかも、このような足場用具は、取付け施行時における取付け作業の手間も簡単であり、施工性を向上することができるし、足場部材がボルトや形鋼で作られて十分な強度を有している。更に、足場用具は、柱上安全帯の補助ロープを容易に取付け、取外しできる脚部を有するリング部材を取付けることによって、更に、作業者の安全を一層、容易且つ確実に確保することができる。
【００５６】
以上、本発明を幾つかの例について説明したが、本発明はこれらの例に限定されるものではない。
【００５７】
本発明の足場用具は、電力線を用いる電柱のほかに、電話用の通信線やテレビ用ケーブル等を用いる通信柱や支柱等にも同様に好適に利用することができる。
【図面の簡単な説明】
【００５８】
【図１】足場用具の第１の実施形態の例を示す正面図である。
【図２】図１のII−II線に沿った断面図で、足場ボルトを外して離した状態で示す。
【図３】図１の足場用具が取付けられた電柱の下方部分を示す使用例における縦断面図で、円Aで囲まれた部分を拡大して示す。
【図４】図１の足場用具の改変例を示す図で、（Ａ）は斜視図、（Ｂ）は縦断面図である。
【図５】足場用具の第２の実施形態の例を示す図で、（Ａ）は縦断面図、（Ｂ）は斜視図である。
【図６】柱上安全帯の補助ロープを係止するためのリング部材を用いた足場用具の第３の実施形態の例を示す縦断面図である。
【図７】図６の足場用具を示す正面図である。
【図８】図６の足場用具の分解斜視図である。
【図９】図６におけるリング部材を一部断面で示す側面図である。
【図１０】図９のリング部材の正面図である。
【図１１】リング部材を用いて取付けられる足場ボルトの改変例の根元部分を示す概要部分図である。
【図１２】絶縁材料のカバーで覆われた別の足場ボルトの改変例を示す斜視図である。
【図１３】絶縁材料のカバーで覆われた更に別の足場ボルトの更なる改変例を示す斜視図である。
【符号の説明】
【００５９】
１，１’，２０，３０…足場用具、２，２２，３２…金具、３，３３，３３’，５３，５３’…足場ボルト、４，２４，３４…リブ、５，３５…ナット、６，２６，３６，３７，４３…孔、１１，１３，２７，２９，３９，３９’…取付ボルト、１４…補強ストラップ、２３…足場部材、４０…リング部材、４１…リング部、４２…脚部、５５，５５’…絶縁材料のカバー、５７…係合部材、５８…補強ロープ、１００…電柱、１０１…第１足場ボルト、１０１ａ，１０３ａ…ねじ穴、１０２…第２足場ボルト、１０３…第３足場ボルト。
【図１】
2007006661.tif 000003
【図２】
2007006661.tif 000004
【図３】
2007006661.tif 000005
【図４】
2007006661.tif 000006
【図５】
2007006661.tif 000007
【図６】
2007006661.tif 000008
【図７】
2007006661.tif 000009
【図８】
2007006661.tif 000010
【図９】
2007006661.tif 000011
【図１０】
2007006661.tif 000012
【図１１】
2007006661.tif 000013
【図１２】
2007006661.tif 000014
【図１３】
2007006661.tif 000015